(57)【特許請求の範囲】
【請求項１】
所定の部材の間に挟み込まれて該所定の部材の間をシールすることができるとともに、内部に形成された中空部に配線を行うことができる長尺状の配線機能付きシール部材において、  前記中空部が剛性を有する配線部に形成されるとともに、該配線部の外周の少なくとも一部に、前記所定の部材が当接される柔軟性を有する緩衝部が設けられ、前記配線部と前記緩衝部とが、異なる樹脂材により２色成形で形成されていることを特徴とする配線機能付きシール部材。
【請求項２】
前記配線部と前記緩衝部とがそれぞれ硬度が異なる材質で形成されており、前記配線部が硬質材で形成されるとともに、前記緩衝部が少なくとも前記硬質材よりも軟質な軟質材で形成されることを特徴とする請求項１に記載の配線機能付きシール部材。
【請求項３】
前記緩衝部の内部には、第２の中空部が形成されることを特徴とする請求項１または２に記載の配線機能付きシール部材。
【請求項４】
前記配線部には、その外周が長手方向に沿って切断された開口条が形成されることを特徴とする請求項１ないし３のいずれかに記載の配線機能付きシール部材。
【請求項５】
前記緩衝部の外面は、湾曲形状をなしていることを特徴とする請求項１ないし４のいずれかに記載の配線機能付きシール部材。
【請求項６】
前記配線部の中空部の少なくとも内面が摺動性を有することを特徴とする請求項１ないし５のいずれかに記載の配線機能付きシール部材。
【請求項７】
前記緩衝部の少なくとも外面が摺動性を有することを特徴とする請求項１ないし６のいずれかに記載の配線機能付きシール部材。
【発明の詳細な説明】
【技術分野】
【０００１】
本発明は、所定の部材の間に挟み込まれて該所定の部材の間をシールすることができるとともに、内部に形成された中空部に配線を行うことができる長尺状の配線機能付きシール部材に関する。
【背景技術】
【０００２】
従来、展示什器等において、配線の容易さと見栄えの良さを両立させるために、ケーブルが配線される中空部を有するエッジ部材（シール部材）を、前板及び側板の端面の間に挟み込ませるようにしている（例えば、特許文献１参照）。
【０００３】
また、このような展示什器では、扉部の戸当部に可撓性を有する合成樹脂等からなる戸当部材（シール部材）を設け、この戸当部材内に電力線を配線するようにしている（例えば、特許文献２参照）。
【先行技術文献】
【特許文献】
【０００４】
【特許文献１】特開２００９−１４２４４５号公報（第４頁、第２図）
【特許文献２】特開２０１１−１９６８２号公報（第６頁、第５図）
【発明の概要】
【発明が解決しようとする課題】
【０００５】
特許文献２に記載の戸当部材（シール部材）にあっては、戸当部に配線を行えるため、戸当部材に対して電力線の出し入れがし易くメンテナンス性に優れているものの、戸当部は、扉部が繰り返し当接される部位であるため、扉部の閉鎖時に電力線の配線スペース（中空部）が潰れてしまう場合がある。そして、長年の使用により潰れた状態で固定化されてしまい、電力線の出し入れがし難くなるという問題がある。
【０００６】
本発明は、このような問題点に着目してなされたもので、配線がなされる中空部が潰れることを防止できる配線機能付きシール部材を提供することを目的とする。
【課題を解決するための手段】
【０００７】
前記課題を解決するために、本発明の配線機能付きシール部材は、
所定の部材の間に挟み込まれて該所定の部材の間をシールすることができるとともに、内部に形成された中空部に配線を行うことができる長尺状の配線機能付きシール部材において、
前記中空部が剛性を有する配線部に形成されるとともに、該配線部の外周の少なくとも一部に、前記所定の部材が当接される柔軟性を有する緩衝部が設けられ、前記配線部と前記緩衝部とが、異なる樹脂材により２色成形で形成されていることを特徴としている。
この特徴によれば、シール部材に所定の部材が当接された際に、柔軟性を有する緩衝部が変形されて当接力を吸収し、かつ電力線が配線される中空部は、剛性を有している配線部により保護されて変形されずに済むようになり、配線がなされる中空部が潰れることを防止できる。
【０００８】
本発明の配線機能付きシール部材は、
前記配線部と前記緩衝部とがそれぞれ硬度が異なる材質で形成されており、前記配線部が硬質材で形成されるとともに、前記緩衝部が少なくとも前記硬質材よりも軟質な軟質材で形成されることを特徴としている。
この特徴によれば、配線部と緩衝部の材質の違いにより、配線部を変形し難くさせることができるとともに、緩衝部を変形し易くさせることができ、シール部材に所定の部材が当接された際に、配線部に当接力が加わる前に緩衝部が変形され、当接力の殆どが緩衝部によって吸収されるようになる。
【０００９】
本発明の配線機能付きシール部材は、
前記緩衝部の内部には、第２の中空部が形成されることを特徴としている。
この特徴によれば、シール部材に所定の部材が当接された際に、第２の中空部が潰れることにより緩衝部が変形し易くなり、当接力を吸収することができる。
【００１０】
本発明の配線機能付きシール部材は、
前記配線部には、その外周が長手方向に沿って切断された開口条が形成されることを特徴としている。
この特徴によれば、配線部の開口条から電力線等を配線部の中空部に挿設させることができる。
【００１１】
本発明の配線機能付きシール部材は、
前記緩衝部の外面は、湾曲形状をなしていることを特徴としている。
この特徴によれば、緩衝部の外面に対していかなる方向から所定の部材が当接しても、同じような変形がなされて当接力を吸収することができ、配線部が緩衝部の変形の影響を受け難くなる。
【００１２】
本発明の配線機能付きシール部材は、
前記配線部の中空部の少なくとも内面が摺動性を有することを特徴としている。
この特徴によれば、配線部を摺動性を有する材質で成形する、若しくは、配線部の中空部の内面を摺動性を有する樹脂でコーティングする等の処置を施し、配線部の中空部の少なくとも内面が摺動性を有する構成にすることで、配線部の中空部に電力線等をスムーズに挿設させることができる。
【００１３】
本発明の配線機能付きシール部材は、
前記緩衝部の少なくとも外面が摺動性を有することを特徴としている。
この特徴によれば、緩衝部を摺動性を有する材質で成形する、若しくは、緩衝部の外面を摺動性を有する樹脂でコーティングする等の処置を施し、緩衝部の少なくとも外面が摺動性を有する構成にすることで、所定の部材とシール部材とが擦れるような当接の仕方をする場合であっても、所定の部材とシール部材との相対移動がスムーズに行えるようになる。
【図面の簡単な説明】
【００１４】
【図１】実施例１における展示ケースを示す斜視図である。
【図２】展示ケースを示す縦断正面図である。
【図３】発光パネルユニットを示す縦断正面図である。
【図４】展示ケースを示す平面図である。
【図５】戸当部を示す横断平面図である。
【図６】シール部材を示す斜視図である。
【図７】実施例２におけるシール部材を示す横断平面図である。
【図８】実施例３におけるシール部材を示す横断平面図である。
【図９】実施例４におけるシール部材を示す横断平面図である。
【図１０】実施例５におけるシール部材を示す横断平面図である。
【図１１】実施例６におけるシール部材を示す横断平面図である。
【図１２】実施例７におけるシール部材を示す横断平面図である。
【図１３】変形例における戸当部を示す横断平面図である。
【発明を実施するための形態】
【００１５】
本発明に係る配線機能付きシール部材を実施するための形態を実施例に基づいて以下に説明する。
【実施例１】
【００１６】
実施例１に係る配線機能付きシール部材につき、図１から図６を参照して説明する。図１の符号1は、本発明の適用された展示ケースである。この展示ケース１は、主に美術館や博物館等に設置され、展示ケース１内に配置された展示品２を、鑑賞者が展示ケース１の周囲から鑑賞できるようになっている。
【００１７】
図１に示すように、展示ケース１は、床面に設置されて平面視で略四角形状をなす展示台３を有し、展示台３の四方の各側面の外周を取り囲むように、床面から立設されたガラス等の材質で形成された透明な側面パネル４が４枚配置されている。この側面パネル４によって展示台３の上方に展示空間５が形成されている。そして、展示品２を展示台３の上面に配置でき、展示品２を展示空間５内に収容するようになっている。
【００１８】
図２に示すように、各側面パネル４の上面開口部は、ガラス等の材質で形成された透明な天井パネル６で閉塞されており、この天井パネル６の上面側の中央部には、発光パネルユニット７が配置されている。また、天井パネル６は、平面視で略四角形状をなし、発光パネルユニット７も平面視で略四角形状をなし、かつこの発光パネルユニット７は、天井パネル６よりも小さく形成されている（図４参照）。
【００１９】
図３及び図４に示すように、発光パネルユニット７の周辺部における天井パネル６の上面には、非透光性を有して天井パネル６の下方側から上方を見えなくするための薄板状（シート状）の天井枠部材８天井枠部材８（枠部）が配置されている。なお、本実施例では、天井枠部材８として黒色の塩化ビニール板を用いている。この天井枠部材８は、鋼板やアルミ板などの金属材料により形成してもよいし、ガラスや樹脂などの非金属板により形成してもよく、さらには、ＰＥＴなどを用いてフィルム状に形成してもよい。
【００２０】
そして、この天井枠部材８により、天井パネル６における発光パネルユニット７の周辺部が非透光性の部位にできる。また、天井枠部材８には、発光パネルユニット７から照射される光を通過させる中央開口部２２が形成されている。なお、本実施例では、展示台３と側面パネル４と天井パネル６とによりケース本体が構成されている。
【００２１】
図３に示すように、発光パネルユニット７は、アクリル樹脂等の材質で形成された導光板９を有している。この導光板９は、その上面の全面に渡って微細な凹凸が形成されている。この微細な凹凸は、シルク印刷加工やＶ溝カット加工や成形加工やレーザー加工等の所定の加工方法により形成されている。
【００２２】
また、導光板９の上面には、光を反射させる反射シート１０が設けられている。導光板９の下面には、光を拡散させる拡散シート１１が設けられている。平面視で略四角形状をなす導光板９の左右二辺のそれぞれには、照明手段としての複数のＬＥＤ１２を有する照明基板１３が設けられている。この照明基板１３は、導光板９の端面に沿って延設されており、複数のＬＥＤ１２は、照明基板１３の長手方向に沿って並設されており、このＬＥＤ１２は導光板９の端面側に向いている。
【００２３】
図３及び図４に示すように、照明基板１３は、薄い板部材が断面視で略コ字形状をなすように屈曲成形された枠筐体１４に装着されており、この枠筐体１４が導光板９の左右二辺に設けられている。また、導光板９の照明基板１３が設けられた２辺以外の他の辺は、断面視で略コ字形状をなす枠筐体１４に嵌合されている。さらに、四つの枠筐体１４で囲まれた上面側は、カバー材１５により閉塞されている。なお、四つの枠筐体１４で囲まれた下面側は、開口されて下面開口部１６が形成されている。
【００２４】
また、発光パネルユニット７の下面開口部１６は、天井枠部材８の中央開口部２２と同一の寸法に形成されており、発光パネルユニット７が天井枠部材８の上面に配置された状態では、発光パネルユニット７の下面開口部１６と天井枠部材８の中央開口部２２との配置位置が同一になっている。そして、天井枠部材８の中央開口部２２を介して発光パネルユニット７の下面が露呈されている。
【００２５】
また、天井パネル６の上面において、発光パネルユニット７の下面開口部１６及び天井枠部材８の中央開口部２２に対応する位置には、ゲルテープ２３（位置規制手段）が貼り付けられている。このゲルテープ２３は、略平板のテープ状をなして上下面及び左右面の全ての面が粘着性を有する粘着部材となっており、透光性を有するシリコンを主材としたゲル状の材質から構成される特殊エラストマー樹脂のゲル状組成物となっている。なお、ゲルテープ２３は、電磁誘導加熱機により接着・解体できる熱可塑テープなどの解体性接着剤を用いた材質であってもよい。
【００２６】
また、シリコンを主材としたゲル状の材質により容易に適度な粘着力を有するゲルテープ２３を製造することができる。そして、このゲルテープ２３は、発光パネルユニット７から照射される光を下方に透光させることができる。
【００２７】
また、ゲルテープ２３は、発光パネルユニット７の下面開口部１６を構成する枠筐体１４の内縁辺及び天井枠部材８の内縁辺に沿って配置されている。なお、ゲルテープ２３の厚み寸法は、枠筐体１４の内縁辺の厚み寸法と、天井枠部材８の内縁辺の厚み寸法とを合わせた寸法となっている。
【００２８】
そして、発光パネルユニット７の枠筐体１４の内縁辺及び天井枠部材８の内縁辺がゲルテープ２３に係止されることで、発光パネルユニット７及び天井枠部材８が天井パネル６の上面で水平方向に移動不能に固定された状態となっている。
【００２９】
図４に示すように、複数のＬＥＤ１２が導光板９の端面側にのみ配置されており、発光パネルユニット７は、その上下幅を小さくして薄型に形成し、かつ軽量化することができるとともに、ＬＥＤ１２の使用個数を減らして製造コストを低減させることができる。また、薄型の発光パネルユニット７を用いることにより、圧迫感が少ない展示ケース１とすることができる。
【００３０】
また、照明基板１３のＬＥＤ１２を点灯させると、ＬＥＤ１２より発せられた光は、導光板９の端面に向かって入射される。この入射された光は、導光板９内部で広がり、導光板９の上面に達した光は、導光板９の上面に形成された微細な凹凸で拡散されつつ、反射シート１０により反射され、導光板９の下面側に向かうようになっている。
【００３１】
また、導光板９の下面に達した光は、拡散シート１１により拡散され、導光板９の下面側全体から均一に照射されるようになっている。ＬＥＤ１２から発せられる光は直接展示品２に照射されるのではなく導光板９を介して照射されるため、紫外線や赤外線を低減させた光を展示品２に照射させることができ、長時間照射しても、紫外線によって展示品２が色褪せたり、赤外線による熱で展示品２を傷めたりせずに済むようになる。
【００３２】
前述したように、天井パネル６は、平面視で略四角形状をなし、発光パネルユニット７も平面視で略四角形状をなし、かつこの発光パネルユニット７は、天井パネル６よりも小さく形成されているが、発光パネルユニット７から照射される光は、発光パネルユニット７から外側斜め下方向に向かって広がるようになっており、この発光パネルユニット７の大きさは、照射される光が展示台３の形状にまんべんなく照射される程度の大きさに形成されている。
【００３３】
そのため、展示台３よりも外方側に光が照射されないように、発光パネルユニット７による照射領域を展示台３の上面に限定することにより発光パネルユニット７の消費電力を低減できる。また、展示ケース１の外周に居る鑑賞者の目に光が直接入り込まないようにすることができる。
【００３４】
また、天井パネル６における発光パネルユニット７の周辺部には、非透光性の天井枠部材８が設けられているため、展示ケース１の上方にある室内の天井の照明装置等から光が照射された際に、展示ケース１の上方から展示ケース１内に入り込む光が遮られることとなる。そのため、発光パネルユニット７から発せられる光のみで展示品２を照らすことができ、展示ケース１による照明効果を高められる。
【００３５】
さらに、発光パネルユニット７は、天井パネル６の上方に配置されているため、別途、発光パネルユニット７を支持するための部材を用いることなく、天井パネルを利用して発光パネルユニットを支持することができる。また、ＬＥＤ１２から発生する熱によって暖められた空気が展示空間５内に入り込まないようになり、展示空間５内の温度上昇を防止することができる。
【００３６】
なお、従来の一般的な照明装置のように、照射面全体にＬＥＤを配置して照射されるようにすると、ＬＥＤは点発光するようになっているため、その点発光が目立ってしまい、照射面全体にＬＥＤの光のムラができてしまうようになっている。しかしながら本実施例の発光パネルユニット７では、ＬＥＤ１２から照射された光が、一旦、導光板９に入射した後、拡散シート１１を介して発光パネルユニット７の下面側から照射されるようになっており、その照射面全体がムラなく一様に発光するようになっている。
【００３７】
図４に示すように、４枚の側面パネル４のうち背面側の一枚は、その端縁に設けられたヒンジ１７によって外方向に揺動されて開放される扉部となっている。この背面側の側面パネル４’を開放することで展示品２を展示空間５内に収容できるようになっている。さらに、背面側の側面パネル４’を閉塞させる際に、この側面パネル４’の端縁が当接する戸当部１８には、合成樹脂等からなるシール部材１９が設けられている（図５参照）。
【００３８】
図３に示すように、ＬＥＤ１２が配置される照明基板１３から電力線２０が発光パネルユニット７の外部に延びている。この電力線２０は、天井枠部材８の上面に設けられた配線カバー２４内に挿設されて、発光パネルユニット７の角部から天井パネル６の角部に向かって延びるフラットケーブルとなっている。そして、天井枠部材８の戸当部１８に対応する位置には、電力線２０が着脱されるコネクタ２５が設けられている。
【００３９】
図４及び５に示すように、コネクタ２５には、戸当部１８に沿って下方に延びる電力線２１が接続されており、この電力線２１が前述したシール部材１９に挿設されている。そして、この電力線２１は、展示台３内部に配置された制御回路（図示略）に接続されている。この制御回路は、室内に設けられたコンセント等から電力を供給されるようになっている。
【００４０】
そして、本実施例の展示ケース１は、一般的な鑑賞者の身長よりも大きく形成されており、鑑賞者が天井パネルを下方から見上げた際に、この電力線２０は天井枠部材８により鑑賞者から見えないようになっている。さらに、発光パネルユニット７の枠筐体１４も、天井枠部材８の上面側に配置されているため、鑑賞者が天井パネルを下方から見上げた際に、枠筐体１４が鑑賞者から見えないようになっている。
【００４１】
さらに、電力線２１が挿設されるシール部材１９について図５及び図６を用いて詳述する。このシール部材１９は、合成樹脂等の材質で形成された長尺状の部材でとなっている。このシール部材１９は、扉部としての側面パネル４’（所定の部材）の端面と側面パネル４（所定の部材）の端面との隙間に挟み込まれて、この隙間をシールするシール機能を有するとともに、内部に形成された第１の中空部２６に電力線２１を挿設できる配線機能を有する。
【００４２】
そのため、シール部材１９によって展示空間５の気密性が保てるとともに、電力線２１が露呈しないようにシール部材１９に保持させることができ、電力線２１が展示品２の鑑賞を妨げないようになっている。なお、本実施例では、電力線２１がシール部材１９の端部の開口から第１の中空部２６内に挿入されるようになっている。
【００４３】
そして、シール部材１９は、前述の配線がなされる第１の中空部２６が形成された配線部２７を有し、この配線部２７は、断面視で四角形状をなしている。また、シール部材１９は、配線部２７の部位が側面パネル４の端面に接着剤等により取り付けられている。また、シール部材１９は、扉部としての側面パネル４’の端面が当接される部位に、柔軟性を有する緩衝部２８が設けられている。
【００４４】
また、シール部材１９の緩衝部２８は、配線部２７の外周の一部に設けられており、緩衝部２８は断面視でドーム形状をなしており、緩衝部２８の外面が湾曲されている。さらに、緩衝部２８の内部には、第２の中空部２９が形成されている。
【００４５】
また、シール部材１９の配線部２７と緩衝部２８とは、それぞれ硬度が異なる材質で形成されており、配線部２７が硬質材で形成されるとともに、緩衝部２８が配線部２７よりも軟質な軟質材で形成される。この配線部２７及び緩衝部２８は、異なる樹脂材を一体的に成形した２色成形により作製されている。そして、配線部２７が剛性を有するとともに、緩衝部２８が柔軟性を有するようになっている。さらに、シール部材１９を形成する合成樹脂は、ポリオレフィン系エラストマーを用いている。
【００４６】
なお、本実施例におけるシール部材１９は、半透明の樹脂材を用いて作製されており、電力線２１の被覆が白やグレーなどの淡い色であれば、シール部材１９の色調により目立たなくすることができ、かつ側面パネル４，４’とシール部材１９との色合いの差異を少なくして、美観に直ぐれた展示ケース１とすることができる。
【００４７】
さらに、配線部２７を形成する硬質材及び緩衝部２８を形成する軟質材は、摺動性を有する材質となっている。そして、配線部２７の第１の中空部２６の内面が摺動性を有するようになっており、配線部２７の第１の中空部２６に電力線２１等をスムーズに挿設させることができる。また、緩衝部２８の外面が摺動性を有するようになっており、側面パネル４’の端面とシール部材１９とが擦れるような当接の仕方をする場合であっても、側面パネル４’の端面とシール部材１９との相対移動がスムーズに行えるようになり、シール部材１９の耐摩耗性が向上される。
【００４８】
なお、配線部２７の第１の中空部２６の内面を摺動性を有する樹脂でコーティングする等の処置を施すことで、配線部２７の第１の中空部２６の少なくとも内面が摺動性を有する構成にしてもよい。同様に、緩衝部２８の外面を摺動性を有する樹脂でコーティングする等の処置を施すことで、緩衝部２８の少なくとも外面が摺動性を有する構成にしてもよい。
【００４９】
以上説明したように、本実施例におけるシール部材１９にあっては、第１の中空部２６が剛性を有する配線部２７に形成されるとともに、配線部２７の外周の一部に、側面パネル４’の端面が当接される柔軟性を有する緩衝部２８が設けられることで、シール部材１９に側面パネル４’の端面が当接された際に、柔軟性を有する緩衝部２８が変形されて当接力を吸収し、かつ電力線２１が配線される第１の中空部２６は、剛性を有している配線部２７により保護されて変形されずに済むようになり、配線がなされる第１の中空部２６が潰れることを防止できる。そして、電力線２１が圧迫される虞もなく、断線等も防止できる。
【００５０】
また、配線部２７と緩衝部２８の材質の違いにより、配線部２７を変形し難くさせることができるとともに、緩衝部２８を変形し易くさせることができ、シール部材１９に側面パネル４’の端面が当接された際に、配線部２７に当接力が加わる前に緩衝部２８が変形され、当接力の殆どが緩衝部２８によって吸収されるようになる。さらに、緩衝部２８が変形されることで、シール機能が向上され、展示空間５の気密性が高められるようになる。
【００５１】
また、緩衝部２８の内部に第２の中空部２９が形成されることで、シール部材１９に側面パネル４’の端面が当接された際に、第２の中空部２９が潰れることにより緩衝部２８が変形し易くなり、当接力を吸収することができる。さらに、配線部２７の第１の中空部２６と緩衝部２８の第２の中空部２９とがそれぞれ別室となって仕切られていることで、電力線２１が不用意に緩衝部２８の第２の中空部２９内に移動されることもなくなる。
【００５２】
また、緩衝部２８の外面は、湾曲形状をなしていることで、緩衝部２８の外面に対していかなる方向から側面パネル４’等の部材が当接しても、同じような変形がなされて当接力を吸収することができ、配線部２７が緩衝部２８の変形の影響を受け難くなる。
【実施例２】
【００５３】
図７に示すように、実施例２に係るシール部材１９ａでは、配線部２７の外周が長手方向に沿って切断されて開口された開口条３０が形成されているとともに、配線部２７の第１の中空部２６の内面の角部に、長手方向に沿って凹設された凹条３１が形成されている。そのため、開口条３０を広げることで、前述した電力線２１を開口条３０から第１の中空部２６内に挿入して配線できるようになっている。
【実施例３】
【００５４】
図８に示すように、実施例３に係るシール部材１９ｂでは、配線部２７に配線を行える２つの第１の中空部２６が形成されている。そして、それぞれの第１の中空部２６に異なる電力線（図示略）や信号線（図示略）等を配線できるようになっている。
【実施例４】
【００５５】
図９に示すように、実施例４に係るシール部材１９ｃでは、緩衝部２８の一部が長手方向に沿って切断されて開口されたスリット条３２が形成されている。このスリット条３２が形成されることにより、緩衝部２８が潰れ易くなっており、シール部材１９ｃに側面パネル４’の端面が当接された際に、当接力を吸収することができる。
【実施例５】
【００５６】
図１０に示すように、実施例５に係るシール部材１９ｄでは、配線部２７の一面側からＴ字状に突設された緩衝部２８が形成されている。この緩衝部２８は、その外面が湾曲されており、緩衝部２８の湾曲された部位が配線部２７に向かって撓み易くなっている。そのため、シール部材１９ｄに側面パネル４’の端面が当接された際に、当接力を吸収することができる。なお、配線部２７と緩衝部２８は同一材質で形成されているが、緩衝部２８はその形状により柔軟性を有するようになっている。
【実施例６】
【００５７】
図１１に示すように、実施例６に係るシール部材１９ｅでは、配線部２７の一面からＩ字状に突設された緩衝部２８が形成されている。この緩衝部２８は、配線部２７から突出された凸条となっており、その幅方向に向かって撓み易くなっている。そのため、シール部材１９ｅに側面パネル４’の端面が当接された際に、当接力を吸収することができる。なお、配線部２７と緩衝部２８は同一材質で形成されているが、緩衝部２８はその形状により柔軟性を有するようになっている。
【実施例７】
【００５８】
図１２に示すように、実施例７に係るシール部材１９ｆでは、配線部２７の一面には、配線部２７と別部材で構成されたスポンジ状の緩衝部２８が貼り付けられている。このスポンジ状をなす緩衝部２８によって、シール部材１９ｆに側面パネル４’の端面が当接された際に、当接力を吸収することができる。
【００５９】
以上、本発明の実施例を図面により説明してきたが、具体的な構成はこれら実施例に限られるものではなく、本発明の要旨を逸脱しない範囲における変更や追加があっても本発明に含まれる。
【００６０】
例えば、扉部としての側面パネル４’（所定の部材）が揺動されて開放されるようになっているが、図１３の変形例に示すように、側面パネル４’を引戸式のスライド扉として構成してもよい。そして、この引戸式の側面パネル４’の端面とシール部材１９とが擦れるような当接の仕方をする場合であっても、緩衝部２８の外面が摺動性を有することで、側面パネル４’の端面とシール部材１９との相対移動がスムーズに行えるようになる。
【００６１】
また、前記実施例では、シール部材１９の緩衝部２８は、配線部２７の外周の一部に設けられているが、配線部２７の外周の全面に緩衝部２８を設けるようにしてもよい。
【符号の説明】
【００６２】
１        展示ケース
２        展示品
３        展示台
４        側面パネル（透明パネル，所定の部材）
４’      側面パネル（扉部，所定の部材）
５        展示空間
６        天井パネル
７        発光パネルユニット
８        天井枠部材（枠部）
９        導光板
１０      反射シート
１１      拡散シート
１２      ＬＥＤ（照明手段）
１３      照明基板（照明手段）
１４      枠筐体
１５      カバー材
１６      下面開口部
１７      ヒンジ
１８      戸当部
１９      シール部材
２０      電力線
２１      電力線
２２      中央開口部
２３      ゲルテープ
２４      配線カバー
２５      コネクタ
２６      第１の中空部
２７      配線部
２８      緩衝部
２９      第２の中空部
３０      開口条
３１      凹条
３２      スリット条
【図１】
0005789175.tif 000002
【図２】
0005789175.tif 000003
【図３】
0005789175.tif 000004
【図４】
0005789175.tif 000005
【図５】
0005789175.tif 000006
【図６】
0005789175.tif 000007
【図７】
0005789175.tif 000008
【図８】
0005789175.tif 000009
【図９】
0005789175.tif 000010
【図１０】
0005789175.tif 000011
【図１１】
0005789175.tif 000012
【図１２】
0005789175.tif 000013
【図１３】
0005789175.tif 000014